(57)【特許請求の範囲】
【請求項１】
冷蔵室を少なくとも有し、前記冷蔵室の下部に貯蔵室が設けられている冷蔵庫であって、前記貯蔵室は、引き出し式の容器と前記貯蔵室を開閉するドアとから構成され、前記容器の左右の側壁の少なくとも一方には、前記容器を引き出す動作、及び、前記容器を押し込む動作によって前記ドアを開閉させるためのガイド部が設けられ、前記ドアには、第１の突起部と、第２の突起部と、第３の突起部とが設けられ、前記ガイド部は、前記冷蔵庫の正面側に位置し、かつ、傾斜している第１の傾斜部材と、前記第１の傾斜部材よりも前記冷蔵庫の背面側に位置し、かつ、傾斜している第２の傾斜部材と、前記第１の傾斜部材と前記第２の傾斜部材とをつなぐつなぎ部材とから構成され、前記第１の突起部と前記第２の突起部の両方が前記第１の傾斜部材に当接可能であり、前記容器が押し込まれている状態から前記容器を引き出すことで、前記第１の突起部の次に前記第２の突起部が前記第１の傾斜部材に当接し、更に前記容器を引き出すことで、前記第３の突起部が前記第２の傾斜部材に当接することを特徴とする冷蔵庫。
【請求項２】
前記２の傾斜部材の傾斜角は前記第１の傾斜部材の傾斜角よりも小さいことを特徴とする請求項１に記載の冷蔵庫。
【請求項３】
前記第２の傾斜部の長さは前記第１の傾斜部の長さよりも短いことを特徴とする請求項１又は２に記載の冷蔵庫。
【請求項４】
前記貯蔵室はチルド室又はパーシャル室に切り替え可能であることを特徴とする請求項１から３のいずれか１項に記載の冷蔵庫。
【請求項５】
前記貯蔵室はチルド室であることを特徴とする請求項１から３のいずれか１項に記載の冷蔵庫。
【請求項６】
前記貯蔵室はパーシャル室であることを特徴とする請求項１から３のいずれか１項に記載の冷蔵庫。
【発明の詳細な説明】
【技術分野】
【０００１】
本発明は冷蔵庫に関し、特に低温貯蔵室等のドア開閉構成に関するものである。
【背景技術】
【０００２】
一般に家庭用冷蔵庫は、冷蔵室、野菜室、冷凍室等を備え、更に前記冷蔵室内には当該冷蔵室よりも低温に冷却されるチルド室（冷蔵室よりも低く約１℃の温度帯とする室）あるいはパーシャル室（約−３℃の微凍結温度帯とする室）またはこれらに切り替え可能な第三温度帯室等の低温貯蔵室を設けたものが見られる。
【０００３】
そして、上記低温貯蔵室には出し入れ自在な容器が設けてあり、当該容器の出し入れによって前記低温貯蔵室のドアを開閉するようになっている（例えば、特許文献１参照）。
【０００４】
図１２は特許文献１記載の冷蔵庫を示し、この冷蔵庫は冷蔵室１０１の下部に低温貯蔵室１０２を設け、この低温貯蔵室１０２はその上面を冷蔵室１０１の最下段に位置する棚板としても利用する棚板部材１０３で覆って構成してある。
【０００５】
上記低温貯蔵室１０２は内部に引出自在な容器１０４が設けてあり、その前方開口縁部分には傾斜部１０５が設けてある。そして、上記容器１０４を出し入れすることにより、前記傾斜部１０５がドア１０６の裏面に設けた突起部１０７に当接し、ドア１０６を開閉するようになっている。
【先行技術文献】
【特許文献】
【０００６】
【特許文献１】特開２００６−１１８８２５号公報
【発明の概要】
【発明が解決しようとする課題】
【００１３】
本発明は、容器引出し初動時の摺動抵抗を低減できる冷蔵庫の提供を目的としたものである。
【課題を解決するための手段】
【００１４】
本発明の冷蔵庫は、上記目的を達成するために、冷蔵室を少なくとも有し、前記冷蔵室の下部に貯蔵室が設けられている冷蔵庫であって、前記貯蔵室は、引き出し式の容器と前記貯蔵室を開閉するドアとから構成され、前記容器の左右の側壁の少なくとも一方には、前記容器を引き出す動作、及び、前記容器を押し込む動作によって前記ドアを開閉させるためのガイド部が設けられ、前記ドアには、第１の突起部と、第２の突起部と、第３の突起部とが設けられ、前記ガイド部は、前記冷蔵庫の正面側に位置し、かつ、傾斜している第１の傾斜部材と、前記第１の傾斜部材よりも前記冷蔵庫の背面側に位置し、かつ、傾斜している第２の傾斜部材と、前記第１の傾斜部材と前記第２の傾斜部材とをつなぐつなぎ部材とから構成され、前記第１の突起部と前記第２の突起部の両方が前記第１の傾斜部材に当接可能であり、前記容器が押し込まれている状態から前記容器を引き出すことで、前記第１の突起部の次に前記第２の突起部が前記第１の傾斜部材に当接し、更に前記容器を引き出すことで、前記第３の突起部が前記第２の傾斜部材に当接することを特徴とする。
【発明の効果】
【００１６】
本発明によれば、容器引出し初動時の摺動抵抗を低減できる冷蔵庫を提供することができる。
【図面の簡単な説明】
【００１７】
【図１】本発明の実施の形態１における冷蔵庫の正面図
【図２】同実施の形態１における冷蔵庫の扉を開いた時の正面図
【図３】同実施の形態１における冷蔵庫の縦断面図
【図４】同実施の形態１における冷蔵庫の低温貯蔵室を示す斜視図
【図５】同実施の形態１における冷蔵庫の低温貯蔵室を示す正面図
【図６】同実施の形態１における冷蔵庫の低温貯蔵室の断面図
【図７】同実施の形態１における冷蔵庫の低温貯蔵室の容器引出し中間時点での断面図
【図８】同実施の形態１における冷蔵庫の低温貯蔵室を示す図６のＡ−Ａ断面図
【図９】同実施の形態１における冷蔵庫の低温貯蔵室容器とドアの要部を示す斜視図
【図１０】同実施の形態１における冷蔵庫の低温貯蔵室容器とドアの分解斜視図
【図１１】同実施の形態１における冷蔵庫の低温貯蔵室の容器引出し動作を示す説明図
【図１２】従来の冷蔵庫の低温貯蔵室部分を示す断面図
【発明を実施するための形態】
【００１８】
第１の発明は、冷蔵庫本体と、冷蔵庫本体に設けた冷蔵室と、前記冷蔵室の下部に区画形成した貯蔵室と、前記貯蔵室内に出し入れ自在に設けた容器と、前記容器の出し入れによって貯蔵室を開閉するドアとを備え、前記ドアもしくは前記容器のいずれか一方に前記容器の移動によって前記ドアを開閉する傾斜部を設け、前記傾斜部は容器移動方向に沿って傾斜角が異なる少なくとも二つ以上の傾斜部分を備えた構成としてある。
【００１９】
これにより、容器を出し入れする際に生じるドア開閉或いは容器移動に供される分力は、それぞれの傾斜部分の角度によって異なる大きさとすることができ、容器出し入れ時の容器位置に適した大きさの分力に設定することができる。したがって、容器の出し入れ双方の動きを軽くすることができ、使い勝手を向上させることができる。
【００２０】
第２の発明は、第１の発明において、前記ドアもしくは容器の一方に前記容器もしくはドアに設けた各傾斜部分に対応させて突起部をそれぞれ設け、前記それぞれの突起部を前記各傾斜部分に順次当接させてドアを開閉させる構成としてある。
【００２１】
これにより、傾斜部分と突起部との当接角度を容器の移動につれて最も抵抗が少なくなる角度に設定することができ、容器の出し入れ移動が途中で重くなることを抑制でき、更に使い勝手の良いものとすることができる。
【００２２】
第３の発明は、第１または第２の発明において、前記傾斜部分の各傾斜角度は容器押し込み挿入時にドアの荷重によって生じる容器押し込み収納方向の分力が容器の移動に伴う摺動抵抗よりも大きい分力を発生する角度に設定した構成としてある。
【００２３】
これにより、容器は押し込み収納時軽く押し込むだけでドア荷重によって生じる分力により自動的に貯蔵室内へと押し込み収納することができ、使い勝手を更に向上させることができる。
【００２４】
第４の発明は、第１〜第３の発明において、前記ドアはガラス板或いは板厚の厚い透明板を用いて構成してある。
【００２５】
これにより、ドアの荷重が大きくなってドアの荷重により生じる容器収納方向への分力を大きなものとすることができ、より確実に容器を自動的に貯蔵室内へと押し込み収納することができるとともに、ドアを構成する透明板は深みがあって重厚感のあるものとなり、ドアの品位を大きく向上させることができる。
【００２６】
第５の発明は、第１〜第４の発明において、前記容器はローラーまたは滑動体によって出し入れ自在に支持した構成としてある。
【００２７】
これにより、容器の出し入れ移動時の摺動抵抗を大幅に低減でき、ドア荷重によって生じる分力により容器を確実に自動収納することができるようになり、さらに使い勝手を向上させることができる。
【００２８】
第６の発明は、第１〜第５の発明において、前記容器はガイド部材により支持し、前記ガイド部材はその後端部に後方にいくほど低くなる傾斜引き込み部を設けた構成としてある。
【００２９】
これにより、容器は貯蔵室内に押し込まれていくうちに傾斜引き込み部の傾斜によって最終位置に引き込まれ、確実に貯蔵室奥部まで移動し収納されるとともに、その位置に停止保持されて不用意に前方へと移動するようなこともなくなり、信頼性の高いものとすることができる。
【００３０】
以下、本発明の実施の形態について、図面を参照しながら説明する。尚、この実施の形態によって本発明が限定されるものではない。
【００３１】
（実施の形態１）
図１〜図１２は本発明の実施の形態１を示すもので、まず、冷蔵庫全体の構成について図１〜図３を用い説明する。
【００３２】
図１〜図３において、本実施の形態に係る冷蔵庫は、前方を開口した冷蔵庫本体１を備え、この冷蔵庫本体１は、図３に示すように主に鋼板を用いた外箱２と、ＡＢＳなどの硬
質樹脂で成型された内箱３と、前記外箱２と内箱３との間に充填された硬質発泡ウレタン等の発泡断熱材４とから構成されている。
【００３３】
冷蔵庫本体１は、仕切板５、６、６ａによって複数の貯蔵室に区分されており、冷蔵庫本体１の最上部は冷蔵室７、冷蔵室７の下方は切替室８ａ及び切替室８ａに並設した製氷室８ｂ、さらにその下方は冷凍室９、さらに最下部は野菜室１０となっている。そして前記各貯蔵室の前面開口部は、扉１１ａ、１１ｂ、１１ｃ、１１ｄ、１１ｅによって開閉可能に閉塞されている。
【００３４】
前記冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００３５】
また、冷蔵庫本体１の背面には冷気を生成する冷却室１６と、冷却室１６からの冷気を前記冷蔵室７、冷凍室９、野菜室１０等に供給循環させる冷気通路１７が設けられている。
【００３６】
冷却室１６内には冷却器１９が配設されており、冷却器１９の上部には冷却ファン２０が配置されている。前記冷却ファン２０は、冷却器１９により冷却された冷気を、冷気通路１７を介し冷蔵室７、冷凍室９、野菜室１０等に強制循環させて各室を冷却するものである。
【００３７】
例えば、冷蔵室７は食材が凍らない程度の温度通常１℃〜５℃に冷却し、野菜室１０は冷蔵室７と同等もしくは若干高めの温度２℃〜７℃に冷却している。また、冷凍室９は冷凍保存のために通常−２２℃〜−１５℃の冷凍温度帯に冷却しており、場合によっては冷凍保存状態向上のために、例えば−３０℃や−２５℃の低温に冷却することもある。
【００３８】
前記冷却室１６からの冷気によって冷却される冷蔵室７には食材を載置する複数の棚板２１が設けてあり、かつ、側壁前部には照明装置（図示せず）が設置してあって扉１１ａを開くと点灯し冷蔵室７内を照射するようになっている。
【００３９】
また、上記冷蔵室７にはその下部に低温貯蔵室２３が形成してある。この低温貯蔵室２３は例えば約１℃の温度帯に冷却されるチルド室あるいは約−３℃の微凍結温度帯まで冷却されるパーシャル室に切り替え可能な低温貯蔵室となっている。なお、低温貯蔵室２３はチルド室或いはパーシャル室に切り替え可能なものでなく、チルド室或いはパーシャル室として専用設計されたものであってもよいものである。
【００４０】
上記低温貯蔵室２３は図４〜図６に示すようにその上面を冷蔵室７の最下段に位置する棚板としても利用する棚板部材２４及び側面の給水タンク室２２（図２参照）との間を仕切る間仕切り板２２ａとで区画形成してあり、内部には引出自在な容器２５が設けてあって、その前方は前記容器２５の引出によって棚板部材２４の前端部を中心に回動して開くドア２６によって閉蓋してある。
【００４１】
以下、上記ドア２６の開閉構成について、図７〜図１２を用いて説明する。
【００４２】
まず容器２５は、図４〜図６及び特に図９、図１０に示すように、上面及び前方上部を開口した略箱型に形成してあり、前端部には把手２５ａが一体形成してあり、両側壁外面には前記ドア２６を開閉させるためのガイド片２７が帯状に設けてある。
【００４３】
上記ガイド片２７には前記ドア２６を開閉動作させるための傾斜部２８が形成してある
。この傾斜部２８はこの例では二つの傾斜部分２８ａ、２８ｂで構成してあってその途中は水平片部２８ｃでつながっており、その傾斜角はそれぞれ異なる角度に設定してある。
【００４４】
本実施の形態では前記二つの傾斜部分２８ａ、２８ｂのうち、容器前方側に位置する傾斜部分２８ａの傾斜角は従来に比べやや水平に近い緩やかな角度とし、後方に位置する傾斜部分２８ｂの傾斜角は前方の傾斜部分２８ａの傾斜よりさらに水平に近い緩やかな角度としてある。
【００４５】
一方、前記容器２５の出し入れによって開閉されるドア２６は、図９、図１０に示すように、略四角形状のＡＢＳ等からなるドア枠２９にアクリル樹脂等で構成した透明板３０を嵌め込み装着して構成してあり、そのドア枠２９の両側上部に設けた鉤状の軸支部３１を前記棚板部材２４の前端に枢支して回動自在としてある。
【００４６】
そして、上記ドア２６は、そのドア枠２９の両側部に前記容器２５のガイド片２７に設けた傾斜部分２８ａ、２８ｂに当接する突片部３２設けてある。この突片部３２には前記容器２５の二つの傾斜部分２８ａ、２８ｂに対応して突起部３３ａ−１、３３ａ−２と３３ｂとが形成してあり、突起部３３ａ−１、３３ａ−２が容器前方側の傾斜部分２８ａに当接し、もう一つの突起部３３ｂは容器後方側の傾斜部分２８ｂに当接するようになっている。
【００４７】
なお、この実施の形態では上記傾斜部分２８ａに当接する側の突起部３３ａ−１、３３ａ−２は二つにして設けたが、これは一つであってもよいものである。
【００４８】
さらに前記容器２５は、図１０に示すように、その両側壁部にレール３４を設け、このレール３４を低温貯蔵室壁に装着した第一のガイド部材３５および給水タンク設置室２２の間仕切り板２２ａに設けた第二のガイド部材３６によって出し入れ自在に支持してある。
【００４９】
そして、上記第一、第二ガイド部材３５、３６の前方端部分には容器２５を支持するローラー３７ａを設けるとともに、容器２５のレール３４の後端部にはジュラコン等のすべり性の良い樹脂で形成した滑動体３７ｂが組み込んである。
【００５０】
更に前記第一、第二ガイド部材３５、３６の後端部には後方にいくほど低くなる傾斜引き込み部３８（図６参照）が形成してある。
【００５１】
なお、前記低温貯蔵室２３は棚板部材２４を構成する断熱材３９中に冷気ダクト部４０が形成してあり、冷蔵庫本体１背面の冷気通路１７から冷気ダクト部４０を介して冷気が供給され、所定温度に冷却するようになっている。
【００５２】
また、前記低温貯蔵室２３にはその棚板部材２４の下面に凹部を形成して、ＬＥＤ等からなる照明装置が設けてあり、棚板部材２４によって冷蔵室７内の照明装置からの光が届かなくても容器２５内部を照射して内部の視認性を高めるようにしてある。
【００５３】
以上のように構成された冷蔵庫について、次にその作用効果を説明する。
【００５４】
まず、この冷蔵庫の低温貯蔵室は、冷蔵庫本体１の冷気通路１７から供給される冷気が棚板部材２４に設けた冷気ダクト部４０を介して供給され、低温貯蔵室２３内の容器２５に収納している肉や魚等の食材を所定温度に冷却保存している。例えば低温貯蔵室がチルド室である場合は約１℃に冷却保存し、パーシャル室である場合は約−３℃の微凍結温度に冷却保存している。  そして、上記低温貯蔵室２３に肉や魚等の食材を出し入れすると
きには、容器２５の把手２５ａを持って容器２５を出し入れする。
【００５５】
この時、低温貯蔵室２３の前方開口を閉蓋しているドア２６は前記容器２５の出し入れに伴って開閉される。
【００５６】
以下、上記ドア２６の開閉について図１１を用いて詳述する。
【００５７】
まず、低温貯蔵室２３内に冷却保存している食材を取り出す時には、把手２５ａを持って容器２５を引き出す。これにより図１１の（ａ）（ｂ）に示すように、容器側面のガイド片２７に設けた前方側の傾斜部分２８ａがドア２６の突片部３２に設けた下側の突起部３３ａ−１、３３ａ−２のうち突起部３３ａ−１に当接し、そのまま前記傾斜部分２８ａが突起部３３ａ−１から突起部３３ａ−２を介してドア２６を上向きに回動させていく。
【００５８】
そして、そのまま容器２５を引き出して行くと、図１１の（ｃ）に示すように、傾斜部分２８ａと突起部３３ａ−２との当接が外れるとほぼ同時に容器後方側の傾斜部分２８ｂがドア２６の突片部３２に設けた上側の突起部３３ｂに当接し、図１１の（ｄ）に示すように、そのまま前記傾斜部分２８ｂが突起部３３ｂを介してドア２６を上向きに回動させていく。
【００５９】
更に容器２５を引き出し続けると、ついにドア２６はその突起部３３ｂが図１１の（ｅ）（ｆ）に示すように、容器２５のガイド片２７に設けた後方側の傾斜部分２８ｂを乗り越え後方水平片部２８ｄまで摺動して全開状態となり、その状態で支持される。
【００６０】
従ってユーザはこの状態で容器２５の前方開口部分から容器２５内部の食材を取り出すことができる。
【００６１】
次に、低温貯蔵室２３内に新たに食材を収納する場合を説明する。
【００６２】
上記のようにして容器を引き出したのち、容器２５の前方開口部より肉や魚等の食材を容器２５内に入れ、把手２５ａを持って容器２５を軽く押し込む。これにより、ドア２６の突起部３３ｂが図１１の（ｅ）に示すように、容器２５の後方水平片部２８ｄから後方側の傾斜部分２８ｂへと移動していき、ドア２６の荷重が突起部３３ｂを介して前記傾斜部分２８ｂに加わり、その分力で容器２５が低温貯蔵室２３内へと押し込まれるようになる。
【００６３】
このまま容器２５が低温貯蔵室２３内と押し込まれていき、ドア２６の突起部３３ｂが図１１の（ｃ）に示すように、容器２５の後方側の傾斜部分２８ｂから離れ後方水平片部２８ｄに達するのとほぼ同時にドア２６の下側の突起部３３ａ−１、３３ａ−２のうち突起部３３ａ−２が容器前方の傾斜部分２８ａに当接する。これにより、今度は容器前方の傾斜部分２８ａにドア２６の荷重が加わり、その分力で容器２５がそのまま更にドア２６の荷重によって低温貯蔵室２３内へと押し込まれていき、ついには容器２５は低温貯蔵室２３内に完全に押し込まれ、ドア２６は低温貯蔵室２３の前方開口を閉じる。
【００６４】
ここで、本実施の形態では、前記容器２５の出し入れ時の操作力に関係する傾斜部２８が傾斜角の異なる二つの傾斜部分２８ａ、２８ｂで構成してあるから、容器２５の出し入れ双方の操作力を軽いものとすることができる。
【００６５】
すなわち、容器引出し初期に作用する傾斜部分２８ａはその傾斜角を従来に比べやや緩やかにしておけばドア２６を上向きに回動させて開く分力が小さくなり、軽い力で引き出すことができる。したがって、容器引き出し開始時に瞬間的に大きな力を必要とするとし
ても従来に比べ軽く引き出すことができる。
【００６６】
また、前記傾斜部分２８ａの傾斜角をやや緩やかにしておくことによって、引き出した容器２５から手を放すと容器２５が勝手に勢いよく低温貯蔵室２３内へと戻ってしまうということも防止でき、使い勝手が向上する。すなわち、傾斜部分２８ａの傾斜角が急な場合、容器２５を押し込む方向の分力が大きく、ドア２６をガラスドア等の高級感のあるものとしてその重量が重くなると、ドア荷重による前記容器押し込み分力が大きくなりすぎて、容器２５が勝手に勢いよく低温貯蔵室２３内へと戻ってしまい、食材の出し入れがしにくくなる。しかしながらこの実施の形態によれば、ドア２６をガラスドア等の高級感のあるものとしてその重量が重くなってもこのようなことを防止できる。
【００６７】
また、上記低温貯蔵室２３を閉蓋するドア２６の透明板３０をガラス等で形成して重量が重くなっても、傾斜部分２８ａの傾斜角が従来に比べ緩やかであるから、容器２５を軽く引き出すことが可能となる。したがって、ドア２６の透明板３０を大重量化しやすいガラスもしくは板厚の厚いアクリル樹脂等で形成して重厚感のあるものとすることができ、高級感を持たせドア品位を向上させることもできる。
【００６８】
さらに、前記傾斜部分２８ａの傾斜角をやや緩やかにしつつある程度の傾斜角を持たせておけば、前記容器２５の引出力を軽くしつつドア２６の開き度合いが遅くなるのを防止して使い勝手も良好なものとすることができる。すなわち、上記傾斜部分２８ａの傾斜角を緩やかにしすぎると、容器引出し時、傾斜が緩いためドア２６の開きが遅くなって容器前方の間口がなかなか全開状態にならず、容器２５をいっぱいに引き出さないと食材の出し入れができなくなる。しかしながら上記傾斜部分２８ａの傾斜角をやや緩やかにしつつある程度の傾斜角を持たせておけば、ドア２６の開きが適度に早くなって容器２５をいっぱいに引き出さなくても食材の出し入れができるようになり、使い勝手が向上する。
【００６９】
また、容器２５後方部の傾斜部分２８ｂはその傾斜角が従来に比べやや穏やかではあるもののある程度の角度を持っているから、容器２５を収納する際、ドア荷重による容器収納方向への分力が作用する。したがって、容器２５の押し込み収納も軽く行うことができる。
【００７０】
本実施の形態では、前記ドア荷重によって生じる容器押し込み方向の分力は容器２５の移動に伴う摺動抵抗よりも大きくなるように設定してあるので、容器２５は押し込み収納時軽く押し込むだけで自動的に低温貯蔵室２３内へと押し込み収納することができ、使い勝手を向上させることができる。
【００７１】
またドア２６が前記したようにガラス或いは板厚の厚い透明板３０を用いて重くなっているので、ドア荷重により生じる容器収納方向への分力がより大きなものとなり、さらに確実に容器２５を低温貯蔵室２３内へと自動的に押し込み収納することができ、ドア品位の向上と併せて操作力の軽減が図れ、効果的である。
【００７２】
また、本実施の形態では、前記容器２５はローラー３７ａと滑動体３７ｂによって支持しているので、その移動に伴う抵抗が少なく、前記容器押し込み方向のドア荷重による分力が大きくなったことと相まって容器２５の自動押し込み収納をさらに確実なものとすることができる。
【００７３】
なお、このローラー３７ａと滑動体３７ｂによる支持はいずれか一方のみによる支持であってもその効果が得られるものであり、両方設けるかいずれか一方のみとするかは適宜選択すればよい。
【００７４】
また、前記容器２５は低温貯蔵室２３内に押し込まれていくうちにレール３４の後端部に設けた滑動体３７ｂが傾斜引き込み部３８の傾斜によって最終位置に引き込まれるようになる。したがって、容器２５は確実に低温貯蔵室２３奥部まで移動し収納されるこことなる。また、上記滑動体３７ｂの傾斜引き込み部３８への嵌り込みによって容器２５はその位置に停止保持され、不用意に前方へと移動するようなこともなくなって、信頼性の高いものとなる。
【００７５】
また、前記ドア２６に設けた突起部３３ａ−１、３３ａ−２、３３ｂは前記容器２５の傾斜部分２８ａ、２８ｂに対応させてそれぞれ設けてあるから、各傾斜部分２８ａ、２８ｂに対して最適な角度にして設けることができる。したがって一つの突起部を傾斜角の異なる複数の傾斜部分２８ａ、２８ｂに当接させていく場合に生じがちな微妙なこじれ等を抑制して、摺動抵抗を最小のものとすることができる。よって、容器２５の出し入れが途中で重くなるようなことがなく、容器引出し区間全域にわたって容器２５を軽く滑らかに移動させることができ、更に使い勝手の良いものとすることができる。
【００７６】
特にこの実施の形態では容器引出し初動時に当接することになる突起部３３ａ−１、３３ａ−２を二つに分けて設けているから、最も大きな力を必要とする初動時の摺動抵抗をきめ細かく低減することができ、より軽い力での容器２５の引出を実現することができる。
【００７７】
以上、本発明に係る冷蔵庫について、上記実施の形態を用いて説明してきたが、本発明は、これに限定されるものではなく、本発明の目的を達成する範囲内で種々変更可能であることは言うまでもない。
【００７８】
例えば上記実施の形態ではドア２６を設けた貯蔵室は当該貯蔵室専用に冷却用の冷気を供給するチルド室やパーシャル室等の低温貯蔵室の場合で説明したが、これは当該貯蔵室専用の冷気供給機構を有さない貯蔵室、例えば冷蔵室に設けられていて冷蔵室と略同じ温度に維持されるような貯蔵室であってもよいものである。
【００７９】
また、ドア２６を開閉させるための傾斜部２８は二つの傾斜部分２８ａ、２８ｂを備えたものを例示したが、これは少なくとも二つ以上であればよいものである。
【００８０】
また、ドア２６の開き度合い速度と容器２５の収納力の最適な設定に応じて傾斜部分２８ａ、２８ｂの角度を任意に設定してもよいものである。
【００８１】
また、突起部３３は合計三つ設けた場合を例示したが、これは突起部と傾斜部分との摺動抵抗の低減効果が少なくなるものの、一つであってもよいものである。
【００８２】
更にこの実施の形態では、容器２５に傾斜部２８を、ドア２６に突起部３３を設けたものを例示したが、容器２５側に突起部３３を設けドア２６に傾斜部２８を設ける構成としてもよいものである。
【００８３】
また、容器２５のレール３４とガイド３５、３６による支持は、容器２５の両側壁部分或いはいずれか一方の側壁部分のみのいずれであってもよいものであるが、両側壁部分で支持する構成にしておけば、本実施の形態で例示したように低温貯蔵室２３を、給水タンク設置室２２を除く冷蔵室７横幅一杯の広いものとしていた場合でも、容器２５の引出およびドア２６の開閉動作が左右でねじれるようなことなくスムーズなものとすることができ効果的である。
【００８４】
このように今回開示された実施の形態はすべての点で例示であって制限的なものではな
いと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００８５】
本発明は、容器の出し入れ性が向上し、使い勝手の良い冷蔵庫を提供することができる。よって、家庭用はもちろん業務用冷蔵庫やショーケース等多くの用途に幅広く適用することができる。
【符号の説明】
【００８６】
１  冷蔵庫本体
２  外箱
３  内箱（冷蔵庫本体内箱）
４  発泡断熱材
５、６  仕切板
７  冷蔵室
１５  圧縮機
１６  冷却室
１７  冷気通路
１８  背面壁体
１９  冷却器
２０  冷却ファン
２１  棚板
２２  給水タンク設置室
２３  低温貯蔵室（貯蔵室）
２４  棚板部材
２５  容器
２６  ドア
２７  ガイド片
２８  傾斜部
２８ａ、２８ｂ  傾斜部分
２９  ドア枠
３０  透明板
３１  軸支部
３２  突片部
３３、３３ａ−１、３３ａ−２、３３ｂ  突起部
３４  レール
３５  第一のガイド部材
３６  第二のガイド部材
３７ａ  ローラー
３７ｂ  滑動体
３８  傾斜引き込み部
３９  断熱材
４０  冷気ダクト部
４１  凹部
４２  照明装置
【図１】
0006572429.tif 000002
【図２】
0006572429.tif 000003
【図３】
0006572429.tif 000004
【図４】
0006572429.tif 000005
【図５】
0006572429.tif 000006
【図６】
0006572429.tif 000007
【図７】
0006572429.tif 000008
【図８】
0006572429.tif 000009
【図９】
0006572429.tif 000010
【図１０】
0006572429.tif 000011
【図１１】
0006572429.tif 000012
【図１２】
0006572429.tif 000013